(57)【要約】【課題】木質固形燃料暖房装置に供給されている木質固形燃料の残量を確認するための残量計は視認し難い問題やセンサーの設置などのコストアップの問題を有している。【解決手段】木質固形燃料を容器に収めた形態で木質固形燃料暖房装置に供給し、前記容器内の木質固形燃料のうち、木質固形燃料暖房装置に最後に供給される木質固形燃料を炎色反応物質を含んだ炎色反応木質固形燃料とし、前記炎色反応木質固形燃料が木質固形燃料暖房装置内にて燃焼して炎色を示すことで、木質固形暖房装置の使用者に燃料が残り少ないこと容易に示すことができる。【選択図】図１
2005308320.tif 000002
【特許請求の範囲】
【請求項１】
間伐材や流木などの木材を粉砕し、水分を飛ばして高密度に成型したペレット状の木質固形燃料を充填する燃料容器であって、木材のみで成型した通常木質固形燃料と、前記木材に炎色反応物質を混錬して成型した炎色反応木質固形燃料を所定の割合で同封したことを特徴とする木質固形燃料容器。
【請求項２】
前記燃料容器が取り外し可能な仕切り板で仕切られた２つの燃料槽と１つの燃料排出口と１つの燃料充填口を備えたことを特徴とする請求項１に記載の木質固形燃料容器。
【請求項３】
前記２つの燃料槽のうち、前記燃料排出口側の燃料槽に前記通常木質固形燃料が充填され、前記燃料充填口側の燃料槽に前記炎色反応木質固形燃料が封入されたことを特徴とする請求項1に記載の木質固形燃料容器。
【請求項４】
請求項１から３のいずれか記載の木質固形燃料容器を使用したことを特徴とする木質固形燃料暖房装置。
【請求項５】
上部が円錐形状で側面部は窓部を設けた円筒形状の燃料供給管を燃料貯留槽底部に備えたことを特徴とする請求項４記載の木質固形燃料暖房装置。
【請求項６】
前記燃料供給管と前記燃料容器の燃料排出口が嵌合可能な事を特徴とする請求項４および請求項５に記載の木質固形燃料暖房装置。
【発明の詳細な説明】
【技術分野】
【０００１】
本発明は、木質固形燃料容器および木質固形燃料暖房装置に関するものである。
【０００２】
本発明は、木質固形燃料に関し、より詳細には、木質固形燃料の成分と前記木質燃料を利用する暖房装置の構成に関する。
【０００３】
本発明は、木質固形燃料容器に係り、特に前記木質固形燃料容器を暖房装置で使用する際の残量表示の簡易化に好適に利用できるものである。
【背景技術】
【０００４】
間伐材や流木などの木材を粉砕し、水分を飛ばして高密度に成型したペレット状の木質固形燃料を使用し、燃料への着火、燃料供給、送風等が自動化されている木質固形燃料暖房装置は従来から存在している薪ストーブと比較して操作性が格段に向上している。（例えば、特許文献１、特許文献２参照）
前記木質固形燃料は間伐材や流木などの木材、おが屑や鉋屑などの製材廃材や林地残材、古紙といった木質系の副産物、廃棄物を粉砕・乾燥・圧縮し、木材の成分であるリグニンを熱で融解し固着させて成型したものであり、一般的に使用されている木質固形燃料の形状は円柱形状で長さは1〜2cm、直径は6ｍｍ程度である。
【０００５】
先ず、前記木質固形燃料は木質燃料暖房装置内の燃料供給部に設置された木質固形燃料貯留槽内に貯留され、同じく燃料供給部に設置された燃料搬送装置により、燃料供給経路、燃料供給口を経て燃焼部の燃焼皿へと送られる。また燃焼部には燃焼用送風機によって給気口から燃焼に必要な空気が燃焼皿へ供給されて木質固形燃料が継続的に燃焼する。燃焼ガスは燃焼用送風機によって排気口から熱交換部、煙突を経て室外へ排出される。暖房装置の起動時においては、木質固形燃料の燃焼皿への供給後に自動着火装置が作動する。木質固形燃料燃焼によって発生する灰分比は前記燃焼皿の格子の下部に設けられた灰受部へ落下し、燃焼皿内の灰を排出する構造となっている。熱交換部では木質固形燃料の燃焼で発生した排気と室内循環用送風機によって室内給気口から給気された空気との間で熱交換が行われ、室内送風口より前記熱交換器により熱せられた空気が室内に送風されることで室内の暖房を行う。
【特許文献１】実開昭５８−１９０３０１号公報
【特許文献２】実開昭５９−４９８３２号公報
【発明の開示】
【発明が解決しようとする課題】
【０００６】
しかしながら前述の木質固形燃料暖房装置において、使用者が木質燃料貯留槽内の木質固形燃料の残量を確認するためには、例えば前記木質燃料貯留槽の内部が見えるような窓部を設ける方法があるが、通常、木質固形燃料はその使用目的から燃焼部が使用者側に向くように設計されており、木質固形燃料貯留槽は使用者の反対側、すなわち使用者からは直接見ることの出来ない木質固形燃料暖房装置後部に設置されており、使用者は木質固形燃料の残量を確認するために、木質固形燃料暖房装置の側面または後面に回りこむ必要がある。また、センサーを用いて木質固形燃料の残量を検知し、木質固形燃料暖房装置の前面に設けられた表示部に木質固形燃料の残量を表示する方法も知られているが、センサー、電気回路、表示部などが必要となり、装置の複雑化およびコストアップの要因となっている。
【０００７】
本発明は前記従来の課題を解決するためのもので、木材を粉砕し、水分を飛ばして高密度に成型して木質固形燃料を製造する際に炎色反応物質を混錬して燃焼の際に特定の炎色反応を示す炎色反応木質固形燃料を製造し、前記炎色反応木質固形燃料と通常の木質固形燃料とを一定の割合で、しかもお互いが混合することの無いように１つの容器に同封した木質固形燃料容器で、木質固形燃料容器の排出口側に通常木質燃料を反対側に炎色反応木質固形燃料を同封することで、容器内の木質固形燃料が少なくなってきた際に炎色反応木質燃料が燃焼して炎色反応を示すことで使用者に燃料の残量を容易に提示可能な木質固形燃料容器を提供することを目的とする。
【課題を解決するための手段】
【０００８】
前記従来の課題を解決するために、本発明の請求項１に記載の木質固形燃料容器は間伐材や流木などの木材を粉砕し、水分を飛ばして高密度に成型したペレット状の木質固形燃料を充填する燃料容器であって、木材のみで成型した通常木質固形燃料と、前記木材に炎色反応物質を混錬して成型した炎色反応木質固形燃料を所定の割合で同封したことを特徴とする。
【０００９】
請求項２に記載の木質固形燃料容器は、前記燃料容器が取り外し可能な仕切り板で仕切られた２つの燃料槽と１つの燃料排出口と１つの燃料充填口を備えたことを特徴とする。
【００１０】
請求項３に記載の木質固形燃料容器は、前記２つの燃料槽のうち、前記燃料排出口側の燃料槽に前記通常木質固形燃料が充填され、前記燃料充填口側の燃料槽に前記炎色反応木質固形燃料が封入されたことを特徴とする。
【００１１】
請求項４に記載の木質固形燃料暖房装置は、請求項１から３のいずれか記載の木質固形燃料容器を使用したことを特徴とする。
【００１２】
請求項５に記載の木質固形燃料暖房装置は、請求項４に記載の木質固形燃料暖房装置であって、上部が円錐形状で側面部は窓部を設けた円筒形状の燃料供給管を燃料貯留槽底部に備えたことを特徴とする。
【００１３】
請求項６に記載の木質固形燃料暖房装置は、請求項４に記載の木質固形燃料暖房装置であって、前記燃料供給管と前記燃料容器の燃料排出口が嵌合可能なことを特徴とする。
【発明の効果】
【００１４】
本発明の木質固形燃料容器によれば、木質固形燃料暖房装置の燃料貯留槽に窓部を設けたり、センサーを設置することなく、燃料貯留槽内の木質固形燃料の残量が少なくなった事を燃焼の炎の色にて使用者に知らせることができる。
【発明を実施するための最良の形態】
【００１５】
以下に、本発明の木質固形燃料容器の実施の形態を図面とともに詳細に説明する。  
【実施例１】
【００１６】
以下に、本発明の実施の形態について、図１、図２および図３を用いて説明する。
図１は、本発明の第１の実施例における木質固形燃料容器の側面断面図を示す。
【００１７】
図１において、通常木質固形燃料１０は間伐材や流木などの木材を粉砕し、水分を飛ばして高密度に成型したペレット状の木質固形燃料である。また、炎色反応木質固形燃料１１は粉砕した木材を高密度に成型する際に、例えばカリウム等の炎色反応物質を前記木材に混錬して成型したものである。
燃料容器２１は取り外し可能な仕切り板２２および燃料排出口３０と燃料充填口２４を具備しており、また前記仕切り板２１および燃料容器内部に設けられた仕切り壁２３によって、燃料容器２１内部の前記燃料排出口３０が設置してある側の第一の燃料槽２５と、燃料充填口２４側の第二の燃料槽２６の２つの燃料槽に分割されており、さらに第二の燃料槽２６は第一の燃料槽２５に比べ容積が小さい。また前記燃料排出口３０は容易に金属棒などで突き破る事が可能なように、例えば紙などの材質によって封印されている。
【００１８】
図２は本発明の第１の実施例における複合木質固形燃料質燃料の燃料供給方法の図を示す。燃料容器２１が木質固形燃料暖房装置の燃料貯留槽４５に装てんされる際に木質固形燃料暖房装置に設けた燃料供給管４６が燃料排出口３０を突き破り、第一の燃料槽２５側へ挿入され、燃料供給管４６に設けられた燃料取出口４７が第一の燃料槽内に開放されて自由落下により木質固形燃料が燃料容器２１外部へと排出される構造となっている。
【００１９】
図３は本発明の第１の実施例における複合木質固形燃料の利用形態を示す。まず燃料容器２１の仕切り板２２を取り外し、燃料充填口２４より、第二の燃料槽２６を経由して第一の燃料槽２５に通常木質固形燃料１０を封入する。次に仕切り板２２を所定の場所に挿入して燃料容器２１内の第一の燃料槽２５と第二の燃料槽２６を遮断した後に第二の燃料槽２６に炎色反応木質固形燃料１１を封入したのち、燃料充填口２４を封印して複合木質固形燃料とする。前記複合木質固形燃料を輸送・搬送する際は前記仕切り板２２を所定の場所に挿入した状態とすることで、第一の燃料槽２５内の通常木質固形燃料１０と第二の燃料槽２６内の炎色反応木質固形燃料１１が混合することを防止できる。
【００２０】
複合木質固形燃料２０を木質固形燃料暖房装置の燃料貯留槽４５に装てんする場合においては、前記仕切り板２２を取り外した後に、燃料貯留槽４５へ装てんする。このとき、木質固形燃料暖房装置に設けられた燃料供給管４６が燃料排出口３０を突き破り、前記燃料供給管４６が第一の燃料槽側へ挿入されることにより、燃料供給管３１に設けられた燃料取出口４７が第一の燃料槽内に開放され、自由落下により木質固形燃料が燃料容器２１外部へと排出される。燃料容器２１外部へ排出された通常木質固形燃料１０を燃料搬送装置４１によって燃料供給経路４２へと搬送し、更に通常木質固形燃料１０は燃料供給口４３を経て燃焼部の燃焼皿４４へと送られて持続的に燃焼する。このような持続的な燃焼によって燃料容器２１内の通常木質固形燃料１０が消費されると、第二の燃料槽２６内の炎色反応木質固形燃料１１が燃料搬送装置４１によって燃料供給経路４２へと搬送し、更に炎色反応木質固形燃料１１は燃料供給口４３を経て燃焼皿４４へと送られて燃焼する。  この際、炎色反応木質固形燃料１１は燃焼の際に混錬された炎色反応物質によって炎色反応を示す。例えばカリウムを炎色反応物質として混錬すれば燃焼の際の炎が緑色を示す。
【００２１】
かかる構成によれば、燃料容器内の通常木質固形燃料１０が少なくなった際には炎色反応木質固形燃料１１が燃焼し、木質固形燃料暖房装置の燃焼皿４４において特定の炎色を示すことで、木質固形暖房装置の使用者に木質固形燃料が残り少ないこと容易に示すことができる。
【産業上の利用可能性】
【００２２】
本発明にかかる複合木質固形燃料は、燃料容器内に木質固形燃料が少なくなった際には炎色反応木質固形燃料が燃焼し、木質固形燃料暖房装置の燃焼部において特定の炎色を示すことで、木質固形暖房装置の使用者に燃料が残り少ないこと容易に示すことができる。
【図面の簡単な説明】
【００２３】
【図１】本発明の実施の形態１における木質固形燃料容器の断面図
【図２】本発明の実施の形態１における燃料供給方法を示す図
【図３】本発明の実施の形態１における木質固形燃料容器の利用形態を示す図
【図４】従来の木質固形燃料暖房装置の断面図
【符号の説明】
【００２４】
１０  通常木質固形燃料
１１  炎色反応木質固形燃料
２０  複合木質固形燃料
２１  燃料容器
２２  仕切り板
２３  仕切り壁
２４  燃料充填口
２５  第一の燃料槽
２６  第二の燃料槽
３０  燃料排出口
４１  燃料搬送装置
４２  燃料供給経路
４３  燃料供給口
４４  燃焼皿
４５  燃料貯留槽
４６  燃料供給管
４７  燃料取出口
【図１】
2005308320.tif 000003
【図２】
2005308320.tif 000004
【図３】
2005308320.tif 000005
【図４】
2005308320.tif 000006